(57)【要約】【課題】誰でも、簡易に音声メッセージカードを作成することができるシステムを提供する。【解決手段】第１ユーザ端末１０は、サーバ１２にアクセスして画像データとともにカードの印刷指示を送信する。サーバ１２は、留守電サービスサーバ１４で留守電を行うための電話番号を第１ユーザ端末１０に提示する。送り手ユーザは、留守電サービスを用いて音声メッセージを登録する。サーバ１２は、ユーザの電話番号をキーとして音声メッセージを検索して取得し、音声メッセージにアクセスするためのＵＲＬを二次元バーコード形式に変換して画像データとともに印刷機１６に出力し、二次元バーコード２２の付いたカード２０を印刷する。受け手ユーザは、二次元バーコード２２を読み取ってサーバ１２から音声メッセージを取得する。【選択図】図１
2014057201.tif 000002
【特許請求の範囲】
【請求項１】
音声メッセージカード作成システム用サーバであって、
ユーザ端末から送信された、ユーザの電話番号、画像データ及び印刷指示を入力する入力手段と、
前記印刷指示に基づいて前記ユーザ端末に対して留守番電話サービス用の電話番号を出力する電話番号出力手段と、
留守番電話サービスサーバから、前記ユーザの電話番号で特定される前記ユーザの音声メッセージを検索して取得する検索手段と、
前記音声メッセージをそのアクセス情報と関連付けて記憶する記憶手段と、
前記アクセス情報を所定の印刷形式に変換し、前記画像データとともに印刷機に出力する印刷出力手段と、
前記アクセス情報を用いたアクセス要求を受信した場合に、前記アクセス情報を用いて前記記憶手段から該当する音声メッセージを読み出して出力する音声メッセージ処理手段と、
を備えることを特徴とする音声メッセージカード作成システム用サーバ。
【請求項２】
前記印刷出力手段は、前記アクセス情報を二次元バーコード形式に変換して出力することを特徴とする請求項１に記載の音声メッセージカード作成システム用サーバ。
【請求項３】
音声メッセージカード作成システムであって、
第１ユーザ端末から送信された、送り手ユーザの電話番号、画像データ及び印刷指示を入力し、前記印刷指示に応じて留守番電話サービス用の電話番号を前記第１ユーザ端末に送信するサーバと、
前記第１ユーザ端末の電話機から送信された、音声メッセージ及び送り手ユーザの電話番号を関連付けて記憶する留守番電話サービスサーバと、
印刷機と、
を備え、
前記サーバは、前記送り手ユーザの電話番号を用いて前記留守番電話サービスサーバを検索し、該電話番号に関連付けられた音声メッセージを取得し、前記音声メッセージのアクセス情報を生成して前記音声メッセージに関連付けてデータベースに記憶し、前記アクセス情報を所定の印刷形式に変換して前記画像データとともに前記印刷機に出力し、かつ、第２ユーザ端末から送信された、前記アクセス情報を用いた要求に従い、対応する音声メッセージを前記データベースから読み出して前記第２ユーザ端末に送信し、
前記印刷機は、前記画像データ及び前記所定形式のアクセス情報をカードに印刷して出力する
ことを特徴とする音声メッセージカード作成システム。
【発明の詳細な説明】
【技術分野】
【０００１】
本発明は、音声メッセージカード作成システムに関する。
【背景技術】
【０００２】
従来から、画像が印刷された用紙上の当該画像に関する音声メッセージを収集する技術が提案されている。
【０００３】
例えば、下記の特許文献１には、画像とともに音声に関する二次元バーコードを印刷する技術が記載されている。業者は、画像とともに、二次元バーコードである「音入れ用のアクセス情報」または「聞き取り用のアクセス情報」を印刷する。画像及び音入れ用のアクセス情報が印刷されたカードを受け取った人は、携帯電話を用いて音入れ用アクセス情報を読み取り、サービスサーバにアクセスし、携帯電話で録音したメッセージをサービスサーバに登録する。画像及び聞き取り用のアクセス情報が印刷されたカードを受け取った人は、携帯電話を用いて聞き取り用のアクセス情報を読み取り、サービスサーバにアクセスし、登録された音声メッセージを再生するとしている。
【先行技術文献】
【特許文献】
【０００４】
【特許文献１】特開２００５−２３６８７６号公報
【発明の概要】
【発明が解決しようとする課題】
【０００５】
上記従来技術では、音声メッセージをサービスサーバに登録する際には、音入れ用のアクセス情報を携帯電話で読み取った上でサービスサーバにアクセスし、しかる後に携帯電話で録音したメッセージをサービスサーバに登録するという一連の手順を経なければならず、特に携帯電話やコンピュータの操作に不慣れなユーザ（例えば高齢のユーザ等）にとって、煩雑で分かり難い問題がある。
【０００６】
また、単に音声メッセージをサーバに登録するのみならず、所望の効果音をＢＧＭとして音声メッセージに付加したいと欲する場合も少なくなく、このような音声メッセージの編集を簡易に行うことができるシステムも望まれている。
【０００７】
本発明の目的は、誰でも、簡易に音声メッセージカードを作成することができるシステム及びサーバを提供することにある。
【課題を解決するための手段】
【０００８】
本発明は、音声メッセージカード作成システム用サーバであって、ユーザ端末から送信された、ユーザの電話番号、画像データ及び印刷指示を入力する入力手段と、前記印刷指示に基づいて前記ユーザ端末に対して留守番電話（留守電）サービス用の電話番号を出力する電話番号出力手段と、留守番電話サービスサーバから、前記ユーザの電話番号で特定される前記ユーザの音声メッセージを検索して取得する検索手段と、前記音声メッセージをそのアクセス情報と関連付けて記憶する記憶手段と、前記アクセス情報を所定の印刷形式に変換し、前記画像データとともに印刷機に出力する印刷出力手段と、前記アクセス情報を用いたアクセス要求を受信した場合に、前記アクセス情報を用いて前記記憶手段から該当する音声メッセージを読み出して出力する音声メッセージ処理手段とを備えることを特徴とする。
【０００９】
本発明の１つの実施形態では、前記印刷出力手段は、前記アクセス情報を二次元バーコード形式に変換して出力することを特徴とする。
【００１０】
また、本発明は、音声メッセージカード作成システムであって、第１ユーザ端末から送信された、送り手ユーザの電話番号、画像データ及び印刷指示を入力し、前記印刷指示に応じて留守番電話サービス用の電話番号を前記第１ユーザ端末に送信するサーバと、前記第１ユーザ端末の電話機から送信された、音声メッセージ及び送り手ユーザの電話番号を関連付けて記憶する留守番電話サービスサーバと、印刷機とを備え、前記サーバは、前記送り手ユーザの電話番号を用いて前記留守番電話サービスサーバを検索し、該電話番号に関連付けられた音声メッセージを取得し、前記音声メッセージのアクセス情報を生成して前記音声メッセージに関連付けてデータベースに記憶し、前記アクセス情報を所定の印刷形式に変換して前記画像データとともに前記印刷機に出力し、かつ、第２ユーザ端末から送信された、前記アクセス情報を用いた要求に従い、対応する音声メッセージを前記データベースから読み出して前記第２ユーザ端末に送信し、前記印刷機は、前記画像データ及び前記所定形式のアクセス情報をカードに印刷して出力することを特徴とする。
【発明の効果】
【００１１】
本発明によれば、送り手ユーザは、サーバから出力された留守番電話（留守電）の電話番号を用い、使い慣れた留守電サービスと同様の手順で簡易に音声メッセージを登録することができる。また、登録された音声メッセージはサーバがユーザの電話番号を用いて検索して自動取得するので、送り手ユーザはサーバに対して音声メッセージを提供する必要がない。さらに、音声メッセージカードを受け取った受け手は、カードに印刷されたアクセス情報を用いて送り手の音声メッセージを容易に取得することができる。
【図面の簡単な説明】
【００１２】
【図１】実施形態のシステム構成図である。
【図２】実施形態のサーバ構成図である。
【図３】実施形態のデータベースに記憶されるデータ群の説明図である。
【図４】実施形態の処理フローチャートである。
【発明を実施するための形態】
【００１３】
以下、図面に基づき本発明の実施形態について説明する。
【００１４】
図１に、本実施形態における音声メッセージカード作成システムのシステム構成図を示す。本システムは、第１ユーザ端末１０と、サーバ１２と、留守電サービスサーバ１４と、印刷機１６から構成され、本システムで作成されたカードに印刷された二次元バーコードを第２ユーザ端末１８で読み取り、サーバ１２にアクセスする構成である。第１ユーザ端末１０とサーバ１２はインターネットで接続され、第１ユーザ端末１０と留守電サービスサーバ１４は電話回線で接続される。サーバ１２と留守電サービスサーバ１４はインターネットその他のデータ通信回線で接続される。サーバ１２と印刷機１６はデータ通信回線で接続される。サーバ１２と第２ユーザ端末１８はインターネットで接続される。
【００１５】
第１ユーザ端末１０は、２種類の端末から構成される。第１は、パーソナルコンピュータやノートパソコン、タブレット端末等であり、インターネットを介してサーバ１２にアクセスし得る任意の情報端末である。第２は、固定電話や携帯電話等の電話機器であり、音声メッセージを留守電サービスサーバ１４に登録するための端末である。第１ユーザ端末１０は、音声メッセージの送り手となるユーザが使用する端末である。
【００１６】
サーバ１２は、本システムの中核となるサーバコンピュータであり、第１ユーザ端末１０からのアクセスに応じて音声メッセージカード作成サービスのサービス内容を記述したｗｅｂページを第１ユーザ端末１０に送信する。
【００１７】
また、サーバ１２は、ｗｅｂページに記述されたサービス内容に従って送り手ユーザが第１ユーザ端末１０から送信した印刷指示や効果音合成指示を受信し、これに応じて音声メッセージを登録するための留守電サービスの電話番号を第１ユーザ端末１０に送信する。
【００１８】
また、サーバ１２は、送り手ユーザが、留守電サービスの電話番号を用いて音声メッセージを留守電サービスサーバ１４に登録すると、所定のタイミングで留守電サービスサーバ１４にアクセスし、当該送り手ユーザが登録した音声メッセージ（音声メッセージファイル）を取得する。サーバ１２は、留守電サービスサーバ１４から取得した送り手ユーザの音声メッセージに、当該送り手ユーザが指定した効果音を付加して編集し、データベースに記憶する。サーバ１２は、当該送り手ユーザの編集済音声メッセージにアクセスするためのＵＲＬを生成し、当該ＵＲＬを二次元バーコードに埋め込む。サーバ１２は、送り手ユーザから指示された画像データ、及び二次元バーコードデータを印刷機１６に出力する。
【００１９】
さらに、サーバ１２は、第２ユーザ端末１８からの要求に応じ、編集済音声メッセージを第２ユーザ端末１８に送信する。
【００２０】
印刷機１６は、サーバ１２から送信された画像データ及び二次元バーコードデータを用いてカード２０に画像及び二次元バーコード２２を印刷する。二次元バーコード２２の印刷位置は任意であり、例えば図に示すようにカード２０の右下に印刷する。どの位置に二次元バーコード２２を印刷するかは、送り手ユーザが画像を指定する際に併せて指定することもできる。カード２０の種類は任意であり、年賀はがきやグリーティングカード、販促用のショップカード、名刺、スポーツ選手等が発行するプロモーションカード等である。作成されたカード２０は、送り手ユーザに提供され、送り手ユーザから特定の人々、あるいは不特定多数に配布される。
【００２１】
第２ユーザ端末１８は、カード２０の配布を受けたユーザが使用する端末であり、例えば図に示すようにカメラ付携帯電話である。カード２０の配布を受けたユーザは、第２ユーザ端末１８を用いて二次元バーコード２２を読取り、二次元バーコード２２に含まれているＵＲＬを用いてサーバ１２にアクセスし、当該ＵＲＬに関連付けられている編集済音声メッセージを要求する。サーバ１２からは、上記のようにＵＲＬに関連付けられた編集済音声メッセージが送信されているので、第２ユーザ端末１８はこれを受信し、第２ユーザ端末１８のスピーカから編集済音声メッセージを出力する。
【００２２】
本実施形態では、送り手ユーザは、パーソナルコンピュータ等を用いてｗｅｂページにアクセスする必要はあるものの、送りたい音声メッセージは、従来の留守電サービスと同様の手順で録音することができるため、使い勝手が良い。また、送り手ユーザは、自ら留守電サービスに対して自己が登録した音声メッセージをカードに使用すべき旨を伝える必要がなく、サーバ１２側で自動的に留守電サービスサーバから該当する音声メッセージを検索して取得するので、送り手の手間も省かれる。
【００２３】
図２に、図１におけるサーバ１２の構成ブロック図を示す。サーバ１２は、入力インタフェース１２ａ、ＣＰＵ１２ｂ、プログラムメモリ１２ｃ、ワーキングメモリ１２ｄ、音声メッセージデータベース（ＤＢ）１２ｅ、効果音データベース（ＤＢ）１２ｆ、出力インタフェース１２ｇ、及び通信バス１２ｈを備える。
【００２４】
入力インタフェース１２ａは、第１ユーザ端末１０からカード２０の印刷に用いる画像データや印刷指示を入力する。また、入力インタフェース１２ａは、第２ユーザ端末１８からのＵＲＬを用いた要求を入力する。さらに、入力インタフェース１２ａは、留守電サービスサーバ１４に記憶された送り手ユーザの音声メッセージファイルを入力する。
【００２５】
出力インタフェース１２ｇは、第１ユーザ端末１０に対し、留守電サービスサーバ１４にアクセスして留守電録音するための電話番号を出力する。具体的には、ｗｅｂページに留守電録音するための電話番号を表示する。また、出力インタフェース１２ｇは、印刷機１６に対して画像データ及びＵＲＬが埋め込まれた二次元バーコードデータを出力して印刷指示する。また、出力インタフェース１２ｇは、第２ユーザ端末１８からのＵＲＬを用いた要求に応じ、編集済音声メッセージファイルを第２ユーザ端末１８に出力する。
【００２６】
ＣＰＵ１２ｂは、プログラムメモリ１２ｃに記憶された処理プログラムに従い、所定の処理を実行する。すなわち、入力インタフェース１２ａで画像データ及び印刷指示を入力すると、画像データ及び当該ユーザの電話番号を音声メッセージデータベース１２ｅに格納するとともに、留守電サービスサーバ１４に音声メッセージを留守電録音するための電話番号を出力インタフェース１２ｇから出力する。留守電サービスサーバ１４に音声メッセ―ジを留守電録音するための電話番号は、予めプログラムに組み込まれるか、あるいはワーキングメモリその他のメモリに記憶される。また、ＣＰＵ１２ｂは、留守電サービスサーバ１４に記憶されている音声メッセージから、送り手ユーザの音声メッセージを検索して入力インタフェース１２ａから入力する。音声メッセージを検索する際の検索キーには、送り手ユーザの電話番号が用いられる。すなわち、送り手ユーザが印刷指示する際に、自己の電話番号をｗｅｂページを用いてサーバ１２に送信する。ＣＰＵ１２ｂは、送り手ユーザの電話番号を当該送り手ユーザのＩＤとして用い、このユーザの電話番号を検索キーとして留守電サービスサーバ１４を検索する。留守電サービスサーバ１４は、音声メッセージを登録する際に、その音声メッセージファイルに関連付けてその音声メッセージを登録したユーザの電話番号を関連付けて記憶する。従って、ユーザの電話番号を用いることで、その電話番号の下で登録した音声メッセージファイルを検索することができる。
【００２７】
ＣＰＵ１２ｂは、検索して取得した音声メッセージファイルを音声メッセージデータベース１２ｅに記憶する。
【００２８】
また、ＣＰＵ１２ｂは、ワーキングメモリ１２ｄを用いて、音声メッセージデータベース１２ｅに記憶した音声メッセージファイルと、予め効果音データベース（ＤＢ）１２ｆに記憶した効果音とを合成し、編集済音声メッセージファイルとして再び音声メッセージデータベース１２ｅに記憶する。音声メッセージに合成すべき効果音は、送り手ユーザがｗｅｂページを用いてサーバ１２に送信する。画像及び効果音とも、送り手ユーザは予めサーバ１２が用意した画像データ及び効果音から選択することができる。送り手ユーザは、印刷すべき画像及び合成すべき効果音をそれぞれ複数の候補の中から選択してサーバ１２に送信する。ｗｅｂページにカードのデザインを変えた複数のテンプレートを用意し、送り手ユーザが所望のテンプレートを選択するように構成してもよい。また、送り手ユーザは、自己の住所、氏名、電話番号その他の個人データをサーバ１２に送信する。
【００２９】
また、ＣＰＵ１２ｂは、音声メッセージデータベース１２ｅに記憶したそれぞれの編集済音声メッセージファイル毎に、一意のＵＲＬを付与する。ＣＰＵ１２ｂは、送り手ユーザの電話番号、編集済音声メッセージファイル、ＵＲＬを互いに関連付けてテーブルとして音声メッセージデータベース１２ｅに記憶する。
【００３０】
また、ＣＰＵ１２ｂは、編集済音声メッセージファイル毎に付与したＵＲＬを二次元バーコードに変換し、ワーキングメモリ１２ｄに記憶する。ＣＰＵ１２ｂは、送り手ユーザから指示された画像データと二次元バーコードを出力インタフェース１２ｇを介して印刷機１６に出力する。
【００３１】
さらに、ＣＰＵ１２ｂは、第２ユーザ端末１８からＵＲＬを用いた要求を入力すると、音声メッセージデータベース１２ｅにアクセスし、当該ＵＲＬに関連付けられた編集済音声メッセージファイルを抽出して出力インタフェース１２ｇを介して第２ユーザ端末１８に出力する。
【００３２】
音声メッセージデータベース（ＤＢ）１２ｅは、音声メッセージファイル、編集済音声メッセージファイルを、送り手ユーザの電話番号及びＵＲＬとともに記憶する。
【００３３】
効果音データベース（ＤＢ）１２ｆは、音声メッセージに合成すべき効果音を記憶する。
【００３４】
本実施形態におけるサーバ１２は、音声メッセージカード作成システム用サーバとして機能し、第１ユーザ端末１０から送信された、送り手ユーザの電話番号、画像データ及び印刷指示を入力する機能と、印刷指示に基づいて第１ユーザ端末１０に対して留守電サービス用の電話番号を出力する機能と、留守電サービスサーバから、ユーザの電話番号で特定されるユーザの音声メッセージを検索して取得する機能と、音声メッセージをそのアクセス情報であるＵＲＬと関連付けて記憶する機能と、アクセス情報であるＵＲＬを所定の印刷形式に変換し、画像データとともに印刷機１６に出力する機能と、第２ユーザ端末１８からの、アクセス情報であるＵＲＬを用いたアクセス要求を受信した場合に、アクセス情報であるＵＲＬを用いて記憶手段から該当する音声メッセージを読み出して出力する機能を備える。入力インタフェース１２ａがユーザ端末から送信された、ユーザの電話番号、画像データ及び印刷指示を入力する入力手段として機能し、ＣＰＵ１２ｂ及び出力インタフェース１２ｇが印刷指示に基づいてユーザ端末に対して留守電サービス用の電話番号を出力する電話番号出力手段として機能し、ＣＰＵ１２ｂ及び入力インタフェース１２ａが留守電サービスサーバ１４からユーザの電話番号で特定される前記ユーザの音声メッセージを検索して取得する検索手段として機能し、音声メッセージデータベース１２ｅが音声メッセージをそのアクセス情報と関連付けて記憶する記憶手段として機能し、ＣＰＵ１２ｂ及び出力インタフェース１２ｇがアクセス情報を所定の印刷形式に変換し、画像データとともに印刷機に出力する印刷出力手段として機能し、ＣＰＵ１２ｂ及び入力インタフェース１２ａ、出力インタフェース１２ｇがアクセス情報を用いたアクセス要求を受信した場合に、アクセス情報を用いて前記記憶手段から該当する音声メッセージを読み出して出力する音声メッセージ処理手段として機能する。
【００３５】
図３に、サーバ１２の音声メッセージデータベース１２ｅに記憶されるテーブルの一例を示す。送り手ユーザの電話番号、音声メッセージ、編集済音声メッセージ、ＵＲＬを互いに関連付けたテーブルである。
【００３６】
例えば、ある送り手ユーザＡの電話番号がＴＥＬ１、音声メッセージがＭ１、効果音と合成された編集済音声メッセージがＧＭ１、編集済音声メッセージの格納先を特定するＵＲＬがＵＲＬ１であるとすると、これらが互いに関連付けられて、
ＴＥＬ１−Ｍ１−ＧＭ１−ＵＲＬ１
として記憶される。同様に、別の送り手ユーザＢの電話番号がＴＥＬ２、音声メッセージがＭ２、効果音と合成された編集済音声メッセージがＧＭ２、編集済音声メッセージの格納先を特定するＵＲＬがＵＲＬ２であるとすると、これらが互いに関連付けられて、
ＴＥＬ２−Ｍ２−ＧＭ２−ＵＲＬ２
として記憶される。送り手ユーザの電話番号は、上述した通り、送り手ユーザが印刷指示する際にサーバ１２に提供したものである。サーバ１２のＣＰＵ１２ｂは、この送り手ユーザの電話電話番号を用いて留守電サービスサーバ１４からその送り手ユーザが登録した音声メッセージを検索して取得する。
【００３７】
なお、送り手ユーザの電話番号を含めず、編集済音声メッセージとＵＲＬとを関連付けて音声メッセージデータベース１２ｅに記憶することもできる。    
【００３８】
図４に、本実施形態の処理フローチャートを示す。まず、送り手ユーザは、第１ユーザ端末１０として例えばパソコンを用いてサーバ１２が提供する本カード作成サービスのｗｅｂページにアクセスし、自己の住所・氏名・電話番号を入力するとともに、カードに印刷されるべき画像データ、及び合成されるべき効果音を入力して印刷指示する（Ｓ１０１）。カードの形式や画像、効果音は、複数のテンプレートあるいは複数の選択肢の中から選択してもよく、選択したテンプレートにさらに自己の画像データを合成する、あるいは文字を付加することも可能である。送り手ユーザの住所・氏名・電話番号、画像データ、合成されるべき効果音は、第１ユーザ端末１０からサーバ１２に送信される。
【００３９】
サーバ１２のＣＰＵ１２ｂは、第１ユーザ端末１０から送信された各種データを入力インタフェース１２ａを介して受信してワーキングメモリ１２ｄに記憶し、送り手ユーザからの印刷指示に応じて、留守電サービスサーバ１４に音声メッセージを登録するための電話番号データを第１ユーザ端末１０に送信する（Ｓ１０２）。この電話番号は、送り手ユーザが真に本サービスを利用することが明らかとなった時点で送り手ユーザに提示することが悪戯防止の観点から望ましい。なお、留守電サービスサーバ１４の電話番号を送信する際に、所定のメッセージを併せて送信してもよい。例えば、
「電話番号＊＊＊−＊＊＊−＊＊＊＊に電話をかけて音声メッセージを録音して下さい。録音は、２４時間以内に終了して下さい。音声メッセージは、１年間保存されます。」
等である。
【００４０】
次に、送り手ユーザは、第１ユーザ端末１０として固定電話や携帯電話を用いて、サーバ１２から提示された電話番号に電話をかけ、留守電サービスサーバ１４のガイダンスに従い所望の音声メッセージを送信して登録する（Ｓ１０３）。音声メッセージを登録する際には、送り手ユーザは、自己の電話番号を併せて留守電サービスサーバ１４に送信する（例えば番号通知通話として）。留守電サービスサーバ１４は、送り手ユーザからの音声メッセージを音声メッセージファイルとして記憶装置に記憶する。この際、音声メッセージファイルと送り手ユーザの電話番号とを関連付けて記憶する。例えば、
ユーザＡ：電話番号Ｎ１−音声メッセージＭ１
ユーザＢ：電話番号Ｎ２−音声メッセージＭ２
ユーザＣ：電話番号Ｎ３−音声メッセージＭ３
等である。音声メッセージは、留守電サービスサーバ１４の管理規約に従い、所定期間（例えば１年間）の間保存される。
【００４１】
ここで、ユーザの電話番号は、サーバ１２で送り手ユーザの音声メッセージを検索する際の検索キーとして機能するため、送り手ユーザがサーバ１２に対して送信した電話番号と一致していることが必要である。すなわち、送り手ユーザは、留守電サービスに電話をかけて音声メッセージを登録する際に使用する固定電話あるいは携帯電話の電話番号をサーバ１２に送信することが必要である。
【００４２】
次に、サーバ１２のＣＰＵ１２ｂは、所定のタイミング、例えば送り手ユーザから印刷指示を入力して所定時間経過後に、留守電サービスサーバ１４にアクセスし、送り手ユーザの電話番号を検索キーとして音声メッセージファイルを検索する。検索して得られた音声メッセージファイルは、音声メッセージデータベース１２ｅに記憶する（Ｓ１０４）。
上記の例に即して説明すると、送り手ユーザの電話番号がＮ２である場合、ＣＰＵ１２ｂは、ワーキングメモリ１２ｄに記憶されている電話番号Ｎ２を用いて留守電サービスサーバ１４を検索し、音声メッセージＭ２を取得して音声メッセージデータベース１２ｅに記憶する。また、サーバ１２のＣＰＵ１２ｂは、送り手ユーザが効果音との合成を希望している場合には、送り手ユーザが指定した効果音を効果音データベース１２ｆから読み出し、音声メッセージファイルに合成して編集済音声メッセージファイルを作成し、音声メッセージデータベース１２ｅに記憶する（Ｓ１０５）。
【００４３】
編集済音声メッセージファイルを音声メッセージデータベース１２ｅに記憶した後、サーバ１２のＣＰＵ１２ｂは、編集済音声メッセージファイルにその記憶場所を示すアクセス情報としてＵＲＬを付与し、送り手ユーザの電話番号と、音声メッセージファイルと、編集済音声メッセージファイルと、ＵＲＬとを関連付けたテーブルを作成し、音声メッセージデータベース１２ｅに記憶する。また、サーバ１２のＣＰＵ１２ｂは、編集済音声メッセージファイルに付与したＵＲＬを二次元バーコードに変換する（Ｓ１０６）。そして、送り手ユーザからの画像データ及び二次元バーコードを印刷機１６に出力する。
【００４４】
印刷機１６は、サーバ１２から供給された画像データ及び二次元バーコードをカードに印刷し、音声メッセージカード２０を作成する（Ｓ１０７）。作成された音声メッセージカード２０は、送り手ユーザに提供される。送り手ユーザは、二次元バーコード２２が印刷された音声メッセージカード２０を、特定あるいは不特定の人々に配布する。送り手ユーザからの指示があれば、サーバ１２は、音声メッセージカード２０を指示された配布先に配送してもよい。
【００４５】
音声メッセージカード２０の配布を受けた受け手ユーザは、カード２０に印刷されている二次元バーコード２２を第２ユーザ端末１８として例えば携帯電話で撮影し、二次元バーコード２２に含まれるＵＲＬを取得し、このＵＲＬを用いてサーバ１２にアクセスする。サーバ１２は、第２ユーザ端末１８からの要求に応じ、ＵＲＬで特定される編集済音声メッセージファイルを音声メッセージデータベース１２ｅから読み出し、第２ユーザ端末１８に送信する（Ｓ１０８）。
【００４６】
以上のようにして、送り手ユーザは、使い慣れた留守電サービスを援用して音声メッセージを登録することができ、受け手ユーザは、自身の端末を用いて二次元バーコードを読み取ることで送り手ユーザが登録した音声メッセージを聞くことができる。
【００４７】
本実施形態では、送り手ユーザは留守電サービスを利用して音声メッセージを登録することができるため、例えばパソコンにマイクや録音機能を有している必要はない。また、使い慣れた固定電話や携帯電話等の電話機を用いて音声メッセージを録音することができるため、所望の音声メッセージを容易かつ確実に登録することができる。しかも、留守電サービスサーバ１４に登録した音声メッセージは、自動的にサーバ１２に送信されるため、送り手ユーザはカード２０を作成するサーバ１２に対して音声メッセージを送信する必要がない。
【００４８】
本実施形態では、第１ユーザ端末１０として、パソコンと電話機を例示したが、必ずしもこれに限定されるわけではなく、例えばインターネットにアクセスできる機能と電話機能を備えたスマートフォンでもよい。但し、本実施形態の特徴は、公知の留守電サービスを援用して音声メッセージを登録する点にあり、少なくとも電話機能を有し、音声通話により音声メッセージを登録する必要がある。この意味で、第１ユーザ端末１０は、少なくとも電話機を含む必要がある。
【００４９】
また、本実施形態では、サーバ１２と留守電サービスサーバ１４は別個のサーバとして説明したが、必ずしもこれに限定されるものではなく、同一のサーバで構成してもよい。なお、サーバ１２と留守電サービスサーバ１４を別個のサーバで構成する場合に、これらのサーバが同一主体で管理運用されている必要はなく、互いに別の主体で管理運用されていてもよい。本カード作成システムを運用する主体はサーバ１２の運用主体であるが、留守電サービスサーバ１４を管理運用する主体と契約した上で、留守電サービスサーバ１４に登録された音声メッセージファイルを検索してサーバ１２が取得すればよい。
【００５０】
また、本実施形態では、編集済音声メッセージに付与したＵＲＬを二次元バーコードに変換しているが、これは例示にすぎず、編集済音声メッセージにアクセスするためのアクセス情報を機械読取り可能な任意のフォーマットに変換してカード２０に印刷し得る。
【００５１】
また、本実施形態では、カード２０に画像とともに二次元バーコード２２を印刷しているが、さらに香りを印刷することも好適であり、画像あるいは音声メッセージと何らかの関連がある香りであればなお好適である。
【００５２】
本実施形態で作成されるカード２０は、既述したように、年賀はがきやグリーティングカード、販促用のショップカード、名刺、スポーツ選手等が発行するプロモーションカード等であってその種類は問わないが、例えば販促用のショップカードの場合には以下のような処理で作成される。
【００５３】
すなわち、送り手ユーザであるショップの店員は、第１ユーザ端末１０としてのパソコンを用いてサーバ１２の提供する本サービスのｗｅｂページにアクセスし、予め用意されたテンプレートから所望の形態のショップカードを選択する。また、選択したショップカードのテンプレートにショップ独自の画像を合成し、さらにショップの案内文を合成してサーバ１２に送信する。また、音声メッセージに合成すべき効果音を複数の選択肢の中から選択してサーバ１２に送信する。効果音は、例えば潮騒、せせらぎ、小鳥、雑踏、風鈴、セミの声等であり、複数の曲の一つをＢＧＭとして選択してもよい。さらに、自己の住所・氏名、電話番号をサーバ１２に送信して印刷指示する。
【００５４】
サーバ１２は、送り手ユーザからの、画像データ、合成すべき効果音データ、送り手ユーザの住所・氏名・電話番号をワーキングメモリ１２ｄに記憶するとともに、送り手ユーザのパソコンに対して留守電サービスサーバ１４が提供する留守電サービスの電話番号を送信する。留守電サービスの電話番号は、送り手ユーザのパソコンの画面に表示され、送り手ユーザは、固定電話あるいは携帯電話を用いてこの電話番号に電話し、ショップの販促に関する音声メッセージを留守電の要領で登録する。音声メッセージは、例えば「＊月＊日にオープンする＊＊＊です。＊＊＊は開店記念日として、＊＊＊をご用意しております。また、この音声メッセージを聞かれたお客様への特別サービスとして、＊＊＊をご用意しております。」等である。
【００５５】
留守電サービスサーバ１４は、送り手ユーザからの音声メッセージを音声メッセージファイルとして、送り手ユーザの電話番号と関連付けて記憶装置に記憶する。
【００５６】
サーバ１２のＣＰＵ１２ｂは、送り手ユーザからの印刷指示を受けてから例えば２４時間後に、留守電サービスサーバ１４にアクセスし、ワーキングメモリ１２ｄに記憶されている送り手ユーザの電話番号を検索キーとして送り手ユーザの音声メッセージファイルを検索する。送り手ユーザの電話番号に関連付けられた音声メッセージファイルが存在すれば、その音声メッセージファイルを留守電サービスサーバ１４から取得し、音声メッセージデータベース１２ｅに記憶する。送り手ユーザの電話番号に関連付けられた音声メッセージファイルが存在しない場合、送り手ユーザのパソコンに対してその旨を電子メール形式等で通知する。留守電サービスを用いて音声メッセージを残すように促すためである。
【００５７】
サーバ１２のＣＰＵ１２ｂは、音声メッセージファイルを取得すると、ワーキングメモリ１２ｄに記憶されている、合成すべき効果音データを参照して効果音データベース１２ｆにアクセスし、合成すべき効果音を読み出して音声メッセージファイルと合成して編集し、編集済音声メッセージファイルを音声メッセージデータベース１２ｅに記憶する。また、サーバ１２のＣＰＵ１２ｂは、編集済音声メッセージの格納位置を特定するアクセス情報としてＵＲＬを作成し、送り手ユーザの電話番号、音声メッセージファイル、編集済音声メッセージファイル、ＵＲＬとを互いに関連付けて音声メッセージデータベース１２ｅに記憶する。また、ＣＰＵ１２ｂは、作成したＵＲＬを二次元バーコード形式に変換してワーキングメモリ１２ｄに記憶する。
【００５８】
次に、ＣＰＵ１２ｂは、ワーキングメモリ１２ｄに記憶されている画像データ及び二次元バーコードデータを出力インタフェース１２ｇを介して印刷機１６に出力する。印刷すべきカードの形式や枚数、さらには香りが送り手ユーザにより指定されている場合には、その形式データも印刷機１６に出力する。
【００５９】
印刷機１６は、指定された形式のカードに画像を印刷し、かつ、所定箇所、例えば右下に二次元バーコード２２を印刷して音声メッセージカード２０を作成する。作成された音声メッセージカード２０には、ショップの風景に加え、ショップをイメージさせる香りが付与される。作成された音声メッセージカード２０は、送り手ユーザに提供される。
【００６０】
送り手ユーザであるショップの店員は、提供された音声メッセージカード２０を例えばショップ近くの街角で不特定多数の人々に配布する。
【００６１】
音声メッセージカード２０の配布を受けた受け手ユーザは、音声メッセージカード２０に印刷されている二次元バーコード２２を携帯電話で撮影し、ＵＲＬを取得してサーバ１２にアクセスする。サーバ１２のＣＰＵ１２ｂは、受け手ユーザから送信されたＵＲＬに基づき、当該ＵＲＬに関連付けられた編集済音声メッセージファイルを音声メッセージデータベース１２ｅから読み出し、出力インタフェース１２ｇを介して受け手ユーザの携帯電話に対して送信する。受け手ユーザは、自己の携帯電話から出力される、ショップに関する音声メッセージを効果音とともに聞き、ショップに関する情報やショップに関するイメージを想起できる。
【００６２】
本実施形態では、送り手ユーザの電話番号をキーとしてサーバ１２が送り手ユーザの音声メッセージを特定しているが、送り手ユーザが複数の音声メッセージを登録した場合には、電話番号に加えて個々の音声メッセージを特定するために付加的なＩＤを用いることができる。当該ＩＤは、送り手に対して留守電サービスの電話番号を提示する際にサーバ１２から送り手ユーザに提示することができ、送り手ユーザは提示されたＩＤとともに音声メッセージを留守電サービスサーバ１４に登録すればよい。
【００６３】
さらに、本実施形態では、音声メッセージに効果音を合成することで音声メッセージを編集しているが、この処理を施さず、送り手ユーザの音声メッセージをそのまま音声メッセージデータベース１２ｅに記憶し、受け手ユーザに提供してもよいのは言うまでもない。
【符号の説明】
【００６４】
１０  第１ユーザ端末、１２  サーバ、１４  留守電サービスサーバ、１６  印刷機、１８  第２ユーザ端末。
【図２】
2014057201.tif 000003
【図３】
2014057201.tif 000004
【図４】
2014057201.tif 000005
【図１】
2014057201.tif 000006